(57)【要約】【課題】屋根下地材の上を流れる雨水を堰き止めることなく排出することができ、しかも固定具を打入して形成される孔からの漏水の問題も解消することができる軒先受桟を提供する。【解決手段】屋根材２の軒側端部が載置される上片３の棟側と軒側の側端部にそれぞれ側片４，４を設けて下面が開口する断面コ字型に本体部５を形成すると共に棟側と軒側の側片４の少なくとも一方に接地片６を内方へ突出して設け、棟側と軒側の各側片４，４の下端部に軒棟方向で対向する水抜き孔７，８を穿設する。また軒先受桟Ａを屋根下地材１に固定する固定具９は上片３に打入されるようになっている。屋根下地材１の上を流れる雨水を水抜き孔７，８を通して排出することができる。また軒先受桟Ａを屋根下地材１に固定する固定具９は、本体部５の上面の上片３に打入されるものであり、固定具９を打入して形成される孔から漏水が発生することを防ぐことができる。【選択図】図１
2009150186.tif 000002
【特許請求の範囲】
【請求項１】
屋根下地材の軒側端部上に軒に沿って取付けられ、屋根下地材の上に葺設される屋根材の軒側端部を載置して支持する軒先受桟であって、上記屋根材の軒側端部が載置される上片の棟側と軒側の側端部にそれぞれ側片を設けて下面が開口する断面コ字型に本体部を形成すると共に棟側と軒側の側片の少なくとも一方の下端に接地片を内方へ突出して設け、棟側と軒側の各側片の下端部に軒棟方向で対向する水抜き孔を穿設し、軒先受桟を屋根下地材に固定する固定具は上片に打入されるものであることを特徴とする軒先受桟。
【請求項２】
棟側の側片の下端部に一対のガイド片を切り起こすと共にガイド片を切り起こした部分に水抜き孔を形成し、水抜き孔の両側端のこのガイド片をそれぞれ軒側の側片の側へ屈曲して突出させて成ることを特徴とする請求項１に記載の軒先受桟。
【請求項３】
一対のガイド片の間隔が軒側ほど狭まるように、ガイド片を傾斜させて成ることを特徴とする請求項２に記載の軒先受桟。
【請求項４】
屋根下地材の上面に敷設される防水シートの軒側先端が、下面から本体部内に挿入されると共に、軒側の側片に設けた接地片の上に載置されるようにして成ることを特徴とする請求項１乃至３のいずれかに記載の軒先受桟。
【発明の詳細な説明】
【技術分野】
【０００１】
本発明は、屋根材の軒先端部を支持するために用いられる軒先受桟に関するものである。
【背景技術】
【０００２】
野地板などの屋根下地材１の上に屋根材２を葺く施工を行なうにあたっては、軒側端部から棟側へと屋根材２を葺き並べて行なわれるが、軒棟方向に隣り合う屋根材２は、軒側に位置する屋根材２の棟側端部の上に棟側に位置する屋根材２の軒側端部を重ねるようにして接続されている。このように、各屋根材２は軒側端部が他の屋根材２の上に載置された状態で傾斜しているが、軒側の端部に位置する屋根材２の傾斜を他の屋根材２と同じ傾斜にするために、図７に示すように、屋根下地材１の軒側端部の上に軒先受桟Ａを取り付け、この軒先受桟Ａの上に屋根材２の軒側端部を載置するようにしている。
【０００３】
ここで、屋根材２の下側に雨水が浸入しても、この雨水は屋根下地材１の上を屋根傾斜に沿ってa矢印のように軒側へと流れ、軒先から排出されるが、屋根下地材１の軒側端部に取り付けた軒先受桟Ａでこの雨水が堰き止められると、雨水は軒先受桟Ａの棟側の部分（イ矢印で示す）に滞留し、屋根下地材１へと雨水が漏水するおそれがある。
【０００４】
そこで、図８に示すような軒先受桟Ａが提案されている。この軒先受桟Ａは、下向き開口の断面コ字型に形成される本体部５の軒側と棟側の各側片４，４の下端に接地片６をそれぞれ外方へ突出して形成してある。そして棟側と軒側の各側片４，４の下端部にそれぞれ水抜き孔７，８が穿設してある（特許文献１参照）。
【０００５】
この軒先受桟Ａは、屋根下地材１の軒側端部の上に載置して、接地片６から釘等の固定具９を屋根下地材１に打ち込むことによって、屋根下地材１に固定されるものであり、屋根下地材１の上に葺設される屋根材の軒側端部を軒先受桟Ａの本体部５の上片３の上に載置して支持するものである。そしてこの軒先受桟Ａでは、その棟側と軒側の各側片４，４の下端部に水抜き孔７，８が設けてあるので、屋根下地材１の上を流れる雨水をこの水抜き孔７，８を通して流すことができ、軒先受桟Ａで雨水が堰き止められることを防ぐことができるものである。
【特許文献１】特開昭６３−１０７６４５号公報
【発明の開示】
【発明が解決しようとする課題】
【０００６】
しかし上記の図８の軒先受桟Ａにあっても、棟側の側片４の水抜き孔７が穿設されていない箇所に多少の水溜りが生じることを避けることはできないが、この軒先受桟Ａは接地片６から固定具９を屋根下地材１に打ち込むことによって固定されているので、固定具９を打ち込んだ箇所において接地片６の上に水溜りが生じると、釘孔など固定具９を打ち込むことによって形成される孔から雨水が屋根下地材１に浸入して、漏水するおそれがあるという問題があった。
【０００７】
本発明は上記の点に鑑みてなされたものであり、屋根下地材の上を流れる雨水を堰き止めることなく排出することができ、しかも固定具を打ち込むことによって形成される孔からの漏水の問題も解消することができる軒先受桟を提供することを目的とするものである。
【課題を解決するための手段】
【０００８】
本発明に係る軒先受桟は、屋根下地材１の軒側端部上に軒に沿って取付けられ、屋根下地材１の上に葺設される屋根材２の軒側端部を載置して支持する軒先受桟Ａであって、上記屋根材２の軒側端部が載置される上片３の棟側と軒側の側端部にそれぞれ側片４，４を設けて下面が開口する断面コ字型に本体部５を形成すると共に棟側と軒側の側片４の少なくとも一方の下端に接地片６を内方へ突出して設け、棟側と軒側の各側片４，４の下端部に軒棟方向で対向する水抜き孔７，８を穿設し、軒先受桟Ａを屋根下地材１に固定する固定具９は上片３に打入されるものであることを特徴とするものである。
【０００９】
この発明によれば、屋根下地材１の上を軒側へ流れる雨水を水抜き孔７，８を通して流すことができ、雨水が軒先受桟Ａで堰き止められることを防ぐことができるものであり、しかも軒先受桟Ａを屋根下地材１に固定する固定具９は、下面開口断面コ字型の本体部５の上面の上片３に打入されるものであり、固定具９を打入することによって形成される孔から屋根下地材１に漏水するようなことを防ぐことができるものである。
【００１０】
また本発明は、棟側の側片４の下端部に一対のガイド片１０，１０を切り起こすと共にガイド片１０，１０を切り起こした部分に上記水抜き孔７を形成し、水抜き孔７の両側端のこのガイド片１０，１０をそれぞれ軒側の側片４の側へ屈曲して突出させて成ることを特徴とするものである。
【００１１】
この発明によれば、棟側の側片４に設けた水抜き孔７を通過した雨水は、ガイド片１０，１０にガイドされて広がることなく、この水抜き孔７と対向して軒側の側片４に設けた水抜き孔８へと流れて、この水抜き孔８を通過するものであり、雨水を水抜き孔７から水抜き孔８へとスムーズに通して流すことができるものである。
【００１２】
また本発明は、上記の一対のガイド片１０，１０を、その間隔が軒側ほど狭まるように傾斜させて成ることを特徴とするものである。
【００１３】
この発明によれば、棟側の側片４に設けた水抜き孔７を通過した雨水は、ガイド片１０，１０の幅が狭まる傾斜によって、この水抜き孔７と対向して軒側の側片４に設けた水抜き孔８の中央部に集められるように流れるものであり、雨水を水抜き孔７から水抜き孔８へとスムーズに通して流すことができるものである。
【００１４】
また本発明は、屋根下地材１の上面に敷設される防水シート１１の軒側先端が、下面から本体部５内に挿入されると共に、軒側の側片４に設けた接地片６の上に載置されるようにして成ることを特徴とするものである。
【００１５】
この発明によれば、棟側の側片４の水抜き孔７から本体部５内に流入した雨水は、本体部５内に差し込まれた防水シート１１の上を流れて、軒側の接地片６の部分に滞留することなく、軒側の側片４の水抜き孔８からスムーズに排出されるものである。
【発明の効果】
【００１６】
本発明によれば、屋根下地材１の上を軒側へと流れる雨水を水抜き孔７，８を通して流すことができ、雨水が軒先受桟Ａで堰き止められることを防ぐことができるものであり、しかも軒先受桟Ａを屋根下地材１に固定する固定具９は、下面開口断面コ字型の本体部５の上面の上片３に打入されるものであり、固定具９を打入することによって形成される孔から屋根下地材１に漏水するようなことを防ぐことができるものである。
【発明を実施するための最良の形態】
【００１７】
以下、本発明を実施するための最良の形態を説明する。
【００１８】
図２は本発明の軒先受桟Ａの実施の形態の一例を示すものであり、上片３の両側端部を下方へ折曲して側片４，４を垂下することによって、下面が開口する断面コ字型に本体部５を形成し、さらに各側片４，４の下端をそれぞれ内側に折曲して接地片６，６を対向するように内方へ突出させることによって、軒先受桟Ａを形成するようにしてある。この軒先受桟Ａは金属板を折曲加工して長寸法に形成されるものであり、各側片４，４の下端に接地片６，６を屈曲して設けることによって、軒先受桟Ａの強度を高めることができると共に、軒先受桟Ａを屋根下地材１の上に安定して取り付けることができるものである。
【００１９】
そして一方の側片４の下端には水抜き孔７が、他方の側片４の下端には水抜き孔８が、それぞれ穿設してある。各水抜き孔７，８はそれぞれ長手方向に一定間隔で複数設けられるものであり、水抜き孔７と水抜き孔８は軒棟方向で対向するように設けてある。水抜き孔７，８の形状は任意であるが、例えば図２の実施の形態のように横長の矩形に形成することができる。
【００２０】
次に、上記のように形成される軒先受桟Ａを用いた屋根葺きの構造を図１に基づいて説明する。図１において１６は垂木、１７は鼻板であり、垂木１６の上に屋根下地材１を形成する野地板が取付けてある。この屋根下地材１の上面には防水シート１１が敷設してあり、基部が屋根下地材１と防水シート１１の間に配置される軒先水切１８を屋根下地材１の軒先から突出させてある。軒先受桟Ａは、屋根下地材１の軒側端部に配置されるものであり、防水シート１１の上面側において屋根下地材１の上に軒に沿って取り付けられるものである。軒先受桟Ａの固定は、その本体部５の上面の上片３にビスなどの固定具９を打入して屋根下地材１に打ち込むことによって行なわれるものである。この固定具９を打入する位置は、図２（ａ）に示すように、軒先受桟Ａに設けた水抜き孔７，８に対応する位置以外の位置、つまり軒と平行な方向で隣り合う水抜き孔７の間（隣り合う水抜き孔８の間でもある）の位置に設定するのが好ましい。
【００２１】
ここで、本発明の軒先受桟Ａは、両側下端の接地片６が広い面積で屋根下地１の上に接するので、軒先受桟Ａを安定して取り付けることができるものである。またこの接地片６は本体部５の内方へ突出するものであって、外方へ突出するものではないので、軒先受桟Ａが屋根下地材１の軒先端と一致するぎりぎりの位置に、軒先受桟Ａを取り付けることが可能になるものである。
【００２２】
このように軒先受桟Ａを取り付けた後、屋根下地材１の上に屋根材２を葺く施工を行なう。屋根葺きは、防水シート１１の上面において屋根下地材１の上に、軒側端部から棟側へと順に屋根材２を取り付けることによって行なわれるものである。そして軒側端部に位置する屋根材２は、図１に示すように、その軒側端部を軒先受桟Ａの本体部５の上片３の上に載置し、棟側端部をビスなどの固定具１９で屋根下地材１に固定することによって取り付けられるものである。この軒側端部に位置する屋根材２は、その軒側端部においても軒先受桟Ａに固定具１９で固定するものであり、屋根材２が谷部２ａと山部２ｂが交互に繰り返す波板状の場合、谷部２ａを軒先受桟Ａの上片３の上に載置すると共に山部２ｂから固定具９を上片３に打ち込むことによって固定を行なうものである。
【００２３】
このように軒側端部に位置する屋根材２を取り付けた後、棟側に隣り合う他の屋根材２を取り付ける。棟側の屋根材２はその軒側端部を、軒側の屋根材２の棟側端部の上に重ねて接続した状態で取り付けられるものであり、以下同様にして、軒側の屋根材２の棟側端部の上に棟側の屋根材２の軒側端部を重ねて接続した状態で、棟側へ向けて順次屋根材２を取り付けることによって、屋根葺きを行なうことができるものである。図１において２１は、屋根材２の下面と屋根下地材１のとの間に取り付けられるバックアップ材である。
【００２４】
上記のように形成される屋根葺きの構造において、屋根材２の下側に浸入した雨水は、防水シート１１の上面側において屋根下地材１の上を、屋根勾配に沿って軒側へと図１のａ矢印のように流れる。そしてこの雨水が軒先受桟Ａの箇所に達すると、雨水はｂ矢印のように、本体部５の棟側の側片４に設けた水抜き孔７を通過して本体部５内に入り、さらにこの水抜き孔７と対向して軒側の側片４に設けた水抜き孔８をｃ矢印のように通過し、軒先へ排出される。従って、屋根下地材１の上を流れる雨水が軒先受桟Ａの棟側で堰き止められることがなくなり、堰き止められて滞留する水が屋根下地材１の下側へ漏水するようなことを防ぐことができるものである。
【００２５】
また、軒先受桟Ａの固定は、本体部５の上面の上片３に固定具９を打ち込むことによって行なっており、屋根下地材１に接地する接地片６に固定具９を打ち込むものではないので、図８の従来例のような、固定具９を打ち込んだ孔から水が屋根下地材１に浸入して漏水が発生するようなことはなくなるものである。ここで、棟側の側片４に設けた水抜き孔７を通過した雨水は、この水抜き孔７と対向して軒側の側片４に設けた水抜き孔８へと流れて本体部５内を通過するが、上記のように固定具９を打ち込む位置は、隣り合う水抜き孔７の間（隣り合う水抜き孔８の間）の位置に設定してあるので、屋根下地材１に固定具９を打入した位置には雨水は流れないものであり、固定具９を打入することによって屋根下地材１に形成される孔から漏水が発生することを防ぐことができるものである。
【００２６】
図３は本発明の軒先受桟Ａの他の実施の形態を示すものであり、本体部５の両側の側片４に設けた水抜き孔７，８のうち、棟側の側片４の水抜き孔７を切り起こしで形成するようにしてある。すなわち、側片４の水抜き孔７を形成する箇所の上縁と下縁に水平な切断線を入れると共にこの上下の切断線の中央部間に縦の切断線を入れて、エ字型に切断し、切断線で三方が切断された一対の片を本体部５の内側へ切り起こして折曲することによって、側片４に水抜き孔７を開口して形成することができるものである。そしてこのように切り起こしによって水抜き孔７の開口の両側縁に形成される切り起し片を、それぞれ軒側の側片４の側へ突出させることによって、一対のガイド片１０が水抜き孔７の開口の両側端に形成されるようにしてある。その他の構成は上記のものと同じである。
【００２７】
このものでは、屋根下地材１の上を流れる雨水が軒先受桟Ａの本体部５の棟側の側片４に設けた水抜き孔７を通過して本体部５内に入ると、この雨水は両側のガイド片１０に規制されて流れ、雨水が横方向へ広がったり流れの向きが変わったりすることなく、ａ矢印のように、この水抜き孔７と対向して軒側の側片４に設けた水抜き孔８へと流れることになる。従って棟側の側片４に設けた水抜き孔７を通過した雨水は、軒側の側片４に設けた水抜き孔８へと確実に流れて、この水抜き孔８から排出されるものであり、軒側の側片４の内側に雨水が滞留したりすることなく、雨水を水抜き孔７から水抜き孔８へとスムーズに通して排出することができるものである。
【００２８】
上記のように水抜き孔７の両側端にガイド片１０を設けるにあたって、ガイド片１０の突出角度は、水抜き孔７の開口面に対して９０°以下になるように設定するものであり、特に図４に示すように、一対のガイド片１０，１０の間隔が軒側に向かう先端側ほど狭まるよう、ガイド片１０，１０を同じ角度で傾斜させるようにするのが好ましい。このようにガイド片１０，１０の間隔が狭まるように傾斜させると、水抜き孔７を通過した雨水は、ガイド片１０，１０に規制されて水抜き孔７の幅方向の中央に集められるように流れるものであり、ａ矢印のように、この水抜き孔７と対向する水抜き孔８の中央部へと雨水が流れることになり、水抜き孔７を通過した雨水を対向する水抜き孔８へと確実に流して通過させることができ、軒側の側片４の内側に雨水が滞留したりすることなく、雨水を水抜き孔７から水抜き孔８へとスムーズに通して排出することができるものである。
【００２９】
図５は本発明の他の実施の形態を示すものであり、このものでは、屋根下地材１の上に敷設される防水シート１１の軒側先端を、軒先受桟Ａの本体部５の対向する接地片６の先端間の隙間から本体部５内に差し込み、軒側の側片４の接地片６の上面に防水シート１１の軒側先端を載置するようにしてある。その他の構成は上記のものと同じである。
【００３０】
このものでは、軒先受桟Ａの本体部５の棟側の側片４の水抜き孔７から本体部５内に流入した雨水は、図５にａ矢印で示すように、本体部５内に差し込まれた防水シート１１の上を流れて軒側の側片４の水抜き孔８から排出されるものである。そして防水シート１１の軒側先端は軒側の側片４の接地片６の上に載置されているので、本体部５内に流入した雨水がこの軒側の側片４の接地片６の先端面（接地片６の厚み）に滞留することなく、防水シート１１の上から軒側の側片４の水抜き孔８へと排出されるものであり、雨水の排出をスムーズに行なうことができるものである。
【００３１】
上記の各実施の形態では、本体部５の軒側と棟側の各側片４の下端に接地片６をそれぞれ内方へ対向するように屈曲して設けたが、軒側と棟側の側片４のうち一方の側片４の下端にのみ接地片６を設けるようにしてもよい。図６の実施の形態では、棟側の側片４の下端に接地片６を設け、軒側の側片４には接地片６を設けないようにしてある。接地片６を設けない側片４に形成される水抜き孔８は側片４の下端において開放されているものである。このものでは、軒先受桟Ａの本体部５の棟側の側片４の水抜き孔７から本体部５内に流入した雨水は、図６にａ矢印で示すように水抜き孔８から排出されるものであり、このとき軒側の側片４には接地片６が設けられていないので、本体部５内に流入した雨水が軒側の側片４の接地片６の先端面（接地片６の厚み）に滞留することなく軒側の側片４の水抜き孔８からスムーズに排出され、排水性が向上するものである。
【図面の簡単な説明】
【００３２】
【図１】本発明の実施の形態の一例を示す断面図である。
【図２】本発明の軒先受桟の実施の形態の一例を示すものであり、（ａ）は一部の正面図、（ｂ）は側断面図である。
【図３】本発明の軒先受桟の実施の形態の他の一例を示すものであり、（ａ）は一部の斜視図、（ｂ）は平断面図である。
【図４】本発明の軒先受桟の実施の形態の他の一例を示す一部の平断面図である。
【図５】本発明の実施の形態の他の一例を示す一部の断面図である。
【図６】本発明の実施の形態の他の一例を示す一部の断面図である。
【図７】従来例を示す断面図である。
【図８】他の従来例を示す斜視図である。
【符号の説明】
【００３３】
１  屋根下地材
２  屋根材
３  上片
４  側片
５  本体部
６  接地片
７  水抜き孔
８  水抜き孔
９  固定具
１０  ガイド片
１１  防水シート
【図１】
2009150186.tif 000003
【図２】
2009150186.tif 000004
【図３】
2009150186.tif 000005
【図４】
2009150186.tif 000006
【図５】
2009150186.tif 000007
【図６】
2009150186.tif 000008
【図７】
2009150186.tif 000009
【図８】
2009150186.tif 000010